(57)【特許請求の範囲】
【請求項１】
全体的にＣ形状の剛性本体からなるスナップ閉塞器を備えたコネクタであって、前記剛性本体が、コネクタに引掛けられるべき外部要素を収容領域内へ挿入するためのマウスピースと、テープまたはロープを収容するための穴部とを有する、スナップ閉塞器を備えたコネクタにおいて、前記コネクタが、１つまたは一対のレバーであって、弾性的に負荷されると共に全体的にＣ形状の前記剛性本体を介して開放および閉塞位置の間で回転可能に支持されるレバーを有し、この各レバーが、前記マウスピースへ向け回動される一端縁部であって、コネクタの内側へ向け横断方向へ湾曲されると共にコネクタの閉塞位置で前記マウスピースを閉塞するよう突出される一端縁部と、対向端縁部であって、コネクタの内側へ向け指向されると共にコネクタの開放位置で前記収容領域内へ突出されてスナップ要素として作用する第一フィンと、コネクタの外側へ向け指向されると共にコネクタの閉塞位置でコネクタを手動で開放制御する要素として作動される第二フィンとを延在する対向端縁部とを有するスナップ閉塞器を備えたコネクタにおいて、
レバーの前記横断方向の湾曲端縁部は円弧形状を有し、そして支持および滑動ピンがそれぞれ設けられ、そして前記支持および滑動ピンが前記剛性本体に対して固定されることによりレバーの前記円弧状端縁部が滑動可能に支持されることを特徴とするスナップ閉塞器を備えたコネクタ。
【請求項２】
前記横断方向湾曲端縁部の上に、前記それぞれの支持および滑動ピンと係合して前記横断方向湾曲端縁部のストロークをコネクタの閉塞位置で停止させることができるブロック部が設けられ、前記停止位置は、前記横断方向湾曲端縁部が収容領域のマウスピース内に完全に進入される時に達成されることを特徴とする請求項１記載のスナップ閉塞器を備えたコネクタ。
【請求項３】
前記ブロック部は、前記横断方向湾曲端縁部の外側端縁部におけるフラップを備えることを特徴とする請求項２記載のスナップ閉塞器を備えたコネクタ。
【請求項４】
各レバーが前記剛性本体に設けられたそれぞれの停止ピンと連結されてレバーのストロークをコネクタの開放位置で停止させることができ、前記開放位置は、前記横断方向湾曲端縁部が収容領域のマウスピースから完全に除外されると共に第一ピンが前記マウスピースに対する前方で且つ前記収容領域の実質的中心部に位置される時に達成されることを特徴とする請求項１乃至３のいずれかに記載のスナップ閉塞器を備えたコネクタ。
【請求項５】
前記一対のレバーは、全体的にＣ形状の剛性本体の上に設けられる単一の回転ピンに対して結合されて、
１つの単一レバーを有する、スナップ閉塞器を備えたコネクタにおいて、レバー上の前記弾性負荷は、前記単一レバー上に設けられる第一のヒンジ結合点と前記剛性本体上に設けられる第二のヒンジ結合点とを有する復帰スプリング手段によって負荷され、前記復帰スプリングは、前記第一および第二ヒンジ結合点を結ぶ線が前記回転ピンの単一レバー側にまたは前記回転ピンの剛性本体側にもたらされるかによってそれぞれコネクタの閉塞または開放を達成し、前記復帰スプリングのために収容部が設けられ、この収容部は前記１つのレバーまたは一対のレバーの厚み内に窪み形成されることを特徴とする請求項１乃至４のいずれかに記載のスナップ閉塞器を備えたコネクタ。
【発明の詳細な説明】
【０００１】
【産業上の利用分野】
本発明は、ピトン、バールまたはこの種のものの鳩目等のような剛性要素を引掛けるために使用される閉塞器を備えたコネクタに関する。
【０００２】
【発明の背景】
この形式の装置では、コネクタのレバーが、コネクタを剛性物体上に引掛けるよう開放を維持すると共に剛性物体が適宜のスナップ部品上に適宜の圧力を負荷する時にのみ閉塞することにより、開放されるのを防止すると共にコネクタのマウスピースを引掛けられるべき剛性物体のスロット内に挿入し、また同時に作動を防止してコネクタを開放し、これを維持するよう構成されている。
【０００３】
スナップ閉塞器を備えたコネクタは、伝統的に、全体的にＣ形状の本体であって、前方マウスピースに連通する中央穴部とおよびコネクタを閉塞するよう弾性的に負荷された滑動部品とを有する本体から形成されている。
【０００４】
特に、滑動部品は、手動の制御部品に結合され、適宜のスナップ部品手段を介して閉塞内に作動される。
【０００５】
また、スナップ部品も、手動制御部品および滑動部品を引掛けるための複雑なスナップ手段システムを設けられている。
【０００６】
多数の部品、およびコネクタのスナップ部品およびその他部品間の複雑な連結システムを必要とすることは、ごみおよび外部媒体による機械的目詰りを発生すると同時に、スナップ部品の解除、すなわち、このコネクタの閉塞を許容する力の大きさの正確度においてその機能を限定する。
【０００７】
このように、この形式のコネクタは特に複雑な構造を有しそして極めて高価となっていた。
【０００８】
従って本発明の目的は、従来の装置に見られる欠点を解消しそして高い標準性能を発揮すると共に良好な信頼性、単純性、頑丈性および低価格性を有する、スナップ閉塞器を備えたコネクタを提供することにある。
【０００９】
本発明の別の目的は、ロックまたはロープに対する衝撃または摩擦によって不慮の開放が許容されることのないコネクタを提供することにある。
【００１０】
【発明の概要】
これらおよび別の目的は、添付される独立・特許請求の範囲に係る、本発明のスナップ閉塞器を備えたコネクタを使用することによって達成される。
【００１１】
本発明のスナップ・コネクタは、弾性的に負荷された１つのレバーまたは一対のレバーが設けられると共に、この上に、コネクタの閉塞手段が（収容領域のマウスピースの閉塞要素、コネクタの開放の手動制御部分およびコネクタのスナップ要素からなる）１つの単一部品として形成されることを特徴とする。
【００１２】
３つの異なる機能、すなわち、収容領域のマウスピースの閉塞、手動リセットおよびコネクタのスナップを達成するよう適用且つ設計された１つのレバーを設けることの利点は、部品およびその関連内部接続の総数をかなり減小し、従って装置、殊に、スナップの解除機構を相当に単純化すると同時に作動の信頼性および性能の正確性を確保させる。
【００１３】
【実施例】
次に、本発明の好適な一実施例を添付図面を参照しながら説明する。なお各添付図面において、コネクタの対応部分には同一参照符号が付されている。
【００１４】
図１の（ａ），（ｂ）、図２の（ａ），（ｂ）および図３には、好適実施例に係るコネクタ１が示されている。
【００１５】
コネクタ１は、全体的にＣ形状であって参照符号２を付されている２つの同一部分から形成される剛性本体からなり、この剛性本体の上に、同一形状を有する２つのレバー３，３′が、共通ピン４周りを回転するよう支持されると共にこのピン４を通る剛性本体２の軸線に対し対称的に配置されている。
【００１６】
剛性本体２には、コネクタに引掛けられるべき物体−例えば、ピトンの鳩目から形成されるような−を収容するための領域６にアクセスするための前方マウスピース５が設けられ、一方、その反対側には、テープまたはロープを収容するよう設計された適宜形状の穴部１７が設けられている。
【００１７】
本発明の変形態様では、剛性本体２の穴部１７の壁部が穴部１７を開口するよう移動されて収容されているテープまたはロープを容易に交換できるように構成されている。
【００１８】
レバー３および３′は、別の部品を要することなく引掛かりを解除され得るよう特定に形付けられている。
【００１９】
すなわち、各レバー３および３′は、縦材プレート７，７′から形成され、その一端部はクロスピース８，８′を画定するよう形付けられている。
【００２０】
プレート７，７′の他端部は第一および第二横断フィン９および１０を延在し、その中の第一フィン９はプレート７，７′に関してクロスピース８，８′と同一部分上に配置され、一方、第二フィン１０は反対側に配置されている。
【００２１】
クロスピース８，８′の外周縁部は、中心ピン４に関して円周弧を描く輪郭を有する。
【００２２】
（不錆鋼またはその他適宜の材料からなりそして剛性本体２のプレート１１，１１′の端縁部２１，２１′に取着されている）支持ピン１，１２′が、中心４から、（前記ピンがクロスピース８，８′の回転を妨げることなくその外周縁部上に載置されるような）距離上に位置されている。
【００２３】
従って、クロスピース８，８′の、外周円弧に対応されている輪郭部分は、支持ピン１２，１２′に隣接して滑動されると共に、（開放動作中にフィン１０，１０′が剛性本体２のプレート１１、１１′の端縁部２２，２２′上に取着されている停止ピン１３，１３′と衝突して停止され、一方、閉鎖動作中にピン１２，１２′がクロスピース８，８′の外周縁部上のフラップ１４，１４′と係合して停止される間の）角度ストロークを達成されることができる。
【００２４】
湾曲金属ワイヤ１５から形成される復帰スプリングが、レバー３および３′の両対称点１６および１６′に対して、この両点１６および１６′を結ぶ線（図１の（ｂ）および図２の（ｂ）に一点鎖線で示されている）が、コネクタ１の開放位置では回転ピン４の下側に、一方、コネクタ１の閉鎖位置では回転ピン４の上側に位置されるようにしてヒンジ結合されている。
【００２５】
異なる張力が復帰スプリングに対して付与される場合にも、ヒンジ結合点１６および１６′は、同じくレバー３および３′の対称位置に設定されることができる。
【００２６】
金属ワイヤ１５の収容部はレバー３および３′の厚み内に窪み形成されることができ、すなわち、それらの間に金属ワイヤ１５が配置されることができる。
【００２７】
金属ワイヤ１５は、装置内において所要の動作に適応され得る形状、換言すれば、回転ピン４ともつれられない形状でなければならない。
【００２８】
次に、コネクタ１の機能について説明する。
【００２９】
コネクタ１は、先ず、開放位置に設定される。
【００３０】
この設定のためには、フィン１０および１０′を手で引張らなければならないが、するとこのフィンは手動の開放制御要素として作用し、そしてこれによりレバー３および３′が同時に回転されて停止ピン１３および１３′と衝突される。
【００３１】
レバー３および３′は、点１６および１６′を結び且つ中心４の下方に位置する線がこのレバー３および３′上の金属ワイヤ１５の作用線と合致している場合はこの位置を維持している。ここで、ＦＡで示されている力が、レバー３および３′の上に、これを開放しそして停止ピン１３および１３′と接触させるトルクを発生する。
【００３２】
コネクタの開放時に、クロスピース８，８′が剛性本体２の前方マウスピース５を完全に開放すると共にフィン９，９′が収容領域の中央部分に配置されるよう確保するためには、停止ピン１３，１３′の正確な位置決めが不可欠である。
【００３３】
フィン９および９′はスナップ要素として機能する。すなわち、コネクタ１に引掛けられるべき物体、例えばピトンの鳩目が、前方マウスピース５から収容領域６を通りフィン９および９′の先端部の間を押圧すると、レバー３および３′はコネクタ１を閉鎖すべく回転しようとするが、このとき金属ワイヤ１５の作用によって対抗される。しかしながら、引掛けられるべき物体によって発揮される圧力のためにレバー３および３′が充分に回転されて、点１６および１６′を結ぶ線が（梃の支点として作用する）中心４の下方から上方へ移動されるに至ると、レバー３および３′は解除され、コネクタ１が閉鎖される。
【００３４】
更に詳細には、クロスピース８および８′は、レバー３および３′の回転に伴いコネクタ１の閉塞要素として作用し、前方マウスピース５内へ完全に進入して引掛けられるべき物体を収容領域６内に拘束する。
【００３５】
このように、レバー３，３′を設けることにより構造的単純性が招来されることは明らかである。すなわち、レバーは、その形状を適宜に設計されることにより、閉塞手段−すなわち、収容領域のマウスピースの閉塞要素、手動の開放制御要素およびコネクタのスナップ要素−を単一の部品に構成すると同時に全ての機能を極めて簡単に達成する。
【００３６】
レバー３および３′を閉塞するための回転は、フラップ１４および１４′がピン１２および１２′に係合すると停止される。
【００３７】
これらの使用と共に、支持ピン１２および１２′もまた、ピン４と共に、レバー３および３′によって伝達される引張り応力を吸収することは勿論である。
【００３８】
また、図２の（ａ）に、コネクタの閉塞経路を示す。すなわち、収容領域６内に引掛けられるべき物体の動作はスナップ用に使用されるフィン９および９′によって妨げられることがなく、そしてこのフィンは、剛性本体２を形成する両部分のプレート１１および１１′の間に（収容領域６を完全に開放するようにして）移動位置される形態が示されている。
【００３９】
このように、コネクタ１は両レバーが共に完全開放位置にもたらされた時にだけ“作動”されることができ、そして、このコネクタは、レバーが開放位置ではない別の位置へ解除された時には全て閉塞位置へと移動される。点１６および１６′の回転ピン４に対する配置は、注意深く−すなわち、コネクタ１はレバー３および３′上のスプリング１５の力の方向がその上の回転ピン４の中心を越える時にだけ開放を維持され、そして、この形式の作動はレバー３および３′の開放ストロークの限界だけに局限されることを考慮して−選定される。
【００４０】
この実施例における２つのレバーは、フェースまたはロックに対する摩擦または衝撃の場合の開放に対して保証する。コネクタを開放するには、両クロスピース８および８′が剛性本体２の前方マウスピース５から完全に取払われなければならない。フェースまたはロックに対する衝撃または摩擦は、１つの単一レバーなら開放させるかもしれないが、両レバーに対する組合せ且つ同時の作用が必要となるコネクタの開放は極めて見込みのないことである。
【００４１】
また、剛性本体２を形成する２つの部分とおよび２つのレバー３，３′の対称性も、これら要素を単一の型から形成することを可能とし、従って製造工程を簡単にしそしてコストを低減する。
【００４２】
図５は本発明の別の実施例を示し、コネクタ１は単一のレバー３から形成されている。
【００４３】
この実施例において、復帰スプリング１５はレバー３上の一端縁部と剛性本体２の一プレート１１上の他端縁部とにヒンジ結合されている。
【００４４】
勿論、この好適実施例で説明されるものが特許請求される、より一般的な原理を制限するものではなく、同業者であれば、本発明の範囲を逸脱することなく変更することが可能である。
【００４５】
特に、２つのレバーを有するコネクタであって、この各レバーがそれぞれの回転ピン上にヒンジ結合されているコネクタが本発明に従って考案されることが可能である。
【００４６】
最後に、別の可能な変形によれば、弾性部分は、適宜に形付けられたプレートであって、その端縁部が（２つのレバーを有するコネクタの場合は各レバー上に、一方、単一レバーを有するコネクタの場合はこのレバーおよび剛性本体のプレート上に適宜に形成された）２つのノッチの上に係合されるプレートから形成されることができる。
【図面の簡単な説明】
【図１】（ａ）および（ｂ）は、本発明に係る２つのレバーを有するコネクタおよびコネクタの詳細をそれぞれ示す、開放状態における平面図である。
【図２】（ａ）および（ｂ）は、先の図に示すコネクタの、閉塞状態における平面図である。
【図３】先の図に示すコネクタのレバーを示す斜視図である。
【図４】本発明に係る１つのみのレバーを有するコネクタの詳細を示す平面図である。
【符号の説明】
１  コネクタ
２  剛性本体
３，３′  レバー
４  共通ピン（中心）
５  マウスピース
６  収容領域
７，７′  縦材プレート
８，８′  クロスピース
９，９′  第一横断フィン（スナップ要素）
１０，１０′  第二横断フィン
１２，１２′  支持ピン
１３，１３′  停止ピン
１４，１４′  フラップ
１５  金属ワイヤ（復帰スプリング）
１６，１６′  ヒンジ結合点（対称点）
１７  穴部
２１，２１′  端縁部
２２，２２′  端縁部
【図１】
0004536848.tif 000002
【図２】
0004536848.tif 000003
【図３】
0004536848.tif 000004
【図４】
0004536848.tif 000005